(57)【要約】【課題】オンライン上のクーポン券や広告をユーザが忘れることなく有効に利用できるようにする。【解決手段】情報取得装置１と情報提供装置２とが携帯電話網３を介して通信可能に接続され、１以上の施設に関するクーポン・広告情報を情報提供装置２から情報取得装置１に提供するように成されたシステムにおいて、情報取得装置１の現在位置をナビゲーション装置５で検出し、当該検出された現在位置またはその周辺の施設に関するクーポン・広告情報をユーザの携帯電話４に提示するように構成し、情報取得装置１と共にいるユーザがクーポン・広告情報を発行している施設に近づいたときに、情報提供装置２から情報取得装置１に提供されたその施設に関するクーポン等の情報をユーザに自動的に提示するようにすることにより、クーポン等を利用可能なことをユーザに喚起できるようにする。【選択図】　　　　図１
2004062688.tif 000002
【特許請求の範囲】
【請求項１】
情報提供装置と情報取得装置とがネットワークを介して通信可能に接続されたシステムにおいて、
上記情報提供装置において１以上の施設に関するクーポンまたは広告情報を記憶するクーポン等情報記憶手段と、
上記クーポン等情報記憶手段に記憶されたクーポンまたは広告情報を上記情報提供装置から上記情報取得装置に提供するクーポン等情報提供手段と、
上記情報取得装置の現在位置を検出する位置検出手段と、
上記位置検出手段により検出された上記情報取得装置の現在位置またはその周辺の施設に関するクーポンまたは広告情報をユーザに提示するクーポン等情報提示手段とを備えたことを特徴とする位置情報に基づく情報提供システム。
【請求項２】
所望の施設を登録する施設登録手段を備え、
上記クーポン等情報提供手段は、上記クーポン等情報記憶手段に記憶されたクーポンまたは広告情報の中から、上記施設登録手段により登録された施設に関するクーポンまたは広告情報を検索して上記情報取得装置に提供し、
上記クーポン等情報提示手段は、上記施設登録手段により登録された施設の１つに到着したことが上記位置検出手段により検出されたときに、上記クーポン等情報提供手段により提供された各施設のクーポンまたは広告情報の中から、当該到着した施設に関するクーポンまたは広告情報を検索してユーザに提示することを特徴とする請求項１に記載の位置情報に基づく情報提供システム。
【請求項３】
所望の施設を登録する施設登録手段を備え、
上記クーポン等情報提供手段は、上記施設登録手段により登録された施設の１つに到着したことが上記位置検出手段により検出されたときに、上記クーポン等情報記憶手段に記憶されたクーポンまたは広告情報の中から、当該到着した施設に関するクーポンまたは広告情報を検索して上記情報取得装置に提供し、
上記クーポン等情報提示手段は、上記クーポン等情報提供手段により提供されたクーポンまたは広告情報をユーザに提示することを特徴とする請求項１に記載の位置情報に基づく情報提供システム。
【請求項４】
所望の目的地を登録する目的地登録手段を備え、
上記クーポン等情報提供手段は、上記目的地登録手段により登録された目的地に到達したことが上記位置検出手段により検出されたときに、上記クーポン等情報記憶手段に記憶されたクーポンまたは広告情報の中から、当該到着した目的地の施設に関するクーポンまたは広告情報を検索して上記情報取得装置に提供し、
上記クーポン等情報提示手段は、上記クーポン等情報提供手段により提供されたクーポンまたは広告情報をユーザに提示することを特徴とする請求項１に記載の位置情報に基づく情報提供システム。
【請求項５】
所望の目的地を登録する目的地登録手段を備え、
上記クーポン等情報提供手段は、上記クーポン等情報記憶手段に記憶されたクーポンまたは広告情報の中から、上記目的地登録手段により登録された目的地の施設に関するクーポンまたは広告情報を検索して上記情報取得装置に提供し、
上記クーポン等情報提示手段は、上記目的地登録手段により登録された目的地に到達したことが上記位置検出手段により検出されたときに、上記クーポン等情報提供手段により既に提供されている上記目的地のクーポンまたは広告情報をユーザに提示することを特徴とする請求項１に記載の位置情報に基づく情報提供システム。
【請求項６】
上記目的地登録手段により所望の目的地が登録されたときに、上記目的地の施設に関する案内情報を上記情報取得装置に提供する案内情報提供手段と、
上記案内情報提供手段により提供された案内情報をユーザに提示する案内情報提示手段とを備えたことを特徴とする請求項４または５に記載の位置情報に基づく情報提供システム。
【請求項７】
請求項２に記載の情報提供システムに用いる情報提供装置であって、
上記クーポン等情報記憶手段と、
上記施設登録手段により登録される所望の施設に関する情報を取得する施設情報取得手段と、
上記クーポン等情報記憶手段に記憶されたクーポンまたは広告情報の中から、上記施設情報取得手段により取得された施設に関するクーポンまたは広告情報を検索して上記情報取得装置に提供する上記クーポン等情報提供手段とを備えたことを特徴とする情報提供装置。
【請求項８】
請求項４に記載の情報提供システムに用いる情報提供装置であって、
上記クーポン等情報記憶手段と、
上記目的地登録手段により登録される所望の目的地に関する情報を取得する目的地情報取得手段と、
上記情報取得装置から上記目的地に到達したことに関する情報を取得する到達情報取得手段と、
上記到達情報取得手段により上記目的地に到達したことを表す情報が取得されたときに、上記クーポン等情報記憶手段に記憶されたクーポンまたは広告情報の中から、上記目的地の施設に関するクーポンまたは広告情報を検索して上記情報取得装置に提供する上記クーポン等情報提供手段とを備えたことを特徴とする情報提供装置。
【請求項９】
上記目的地情報取得手段により上記所望の目的地に関する情報が取得されたときに、上記目的地の施設に関する案内情報を上記情報取得装置に提供する案内情報提供手段を備えたことを特徴とする請求項８に記載の情報提供装置。
【請求項１０】
請求項２に記載の情報提供システムに用いる情報取得装置であって、
上記位置検出手段と、
上記施設登録手段と、
上記施設登録手段により登録された１以上の施設に関するクーポンまたは広告情報を上記情報提供装置から取得するクーポン等情報取得手段と、
上記施設登録手段により登録された施設の１つに到着したことが上記位置検出手段により検出されたときに、上記クーポン等情報取得手段により取得された各施設のクーポンまたは広告情報の中から、当該到着した施設に関するクーポンまたは広告情報を検索してユーザに提示する上記クーポン等情報提示手段とを備えたことを特徴とする情報取得装置。
【請求項１１】
請求項４に記載の情報提供システムに用いる情報取得装置であって、
上記位置検出手段と、
上記目的地登録手段と、
上記目的地登録手段により登録された目的地に到達したことが上記位置検出手段により検出されたときに、当該到着した目的地の施設に関するクーポンまたは広告情報を上記情報提供装置から取得するクーポン等情報取得手段と、
上記クーポン等情報取得手段により取得されたクーポンまたは広告情報をユーザに提示する上記クーポン等情報提示手段とを備えたことを特徴とする情報取得装置。
【請求項１２】
上記目的地登録手段により所望の目的地が登録されたときに、上記目的地の施設に関する案内情報を上記情報取得装置から取得する案内情報取得手段と、
上記案内情報取得手段により取得された案内情報をユーザに提示する案内情報提示手段とを備えたことを特徴とする請求項１１に記載の情報取得装置。
【発明の詳細な説明】
【０００１】
【発明の属する技術分野】
本発明は、位置情報に基づく情報提供システムおよびこのシステムで用いる情報提供装置と情報取得装置に関し、特に、インターネット等のネットワークを通じてクーポン券や広告などを配信するシステムに用いて好適なものである。
【０００２】
【従来の技術】
現在、携帯電話網を用いて提供しているインターネット接続サービスでは、携帯電話の電子メール機能を利用して、ユーザが登録しているウェブサイトから割引サービスのクーポン券や広告などの情報を配信するサービスが行われている。例えば、メールマガジンなどの電子メール配信によってオンラインクーポンが利用可能であることをユーザにアナウンスする。そして、これを見たユーザが対応のウェブサイトにアクセスすることにより、オンラインクーポンを取得することができるようになっている。
【０００３】
【発明が解決しようとする課題】
しかしながら、ユーザが電子メールによってアナウンスを受けるタイミングと、ユーザがクーポン券や広告情報を取得するタイミングと、取得したクーポン券や広告を配布先の店舗等にて実際に使用するタイミングとが違っている場合が多い。そのため、せっかくクーポン券等を利用可能なことを知っていても、あるいはせっかくクーポン券を携帯電話に取得して持っていても、ユーザがそのことを忘れてしまい、実際に使う機会を失ってしまうことがあるという問題があった。
【０００４】
本発明は、このような問題を解決するために成されたものであり、オンライン上のクーポン券や広告をユーザが忘れることなく有効に利用できるようにすることを目的とする。
【０００５】
【課題を解決するための手段】
上記した課題を解決するために、本発明では、情報提供装置と情報取得装置とがネットワークを介して通信可能に接続され、１以上の施設に関するクーポンまたは広告情報を情報提供装置から情報取得装置に提供するように成されたシステムにおいて、情報取得装置の現在位置を検出し、当該検出された現在位置またはその周辺の施設に関するクーポンまたは広告情報をユーザに提示するようにしている。これにより、クーポンまたは広告情報を発行している施設に近づくと、情報提供装置から情報取得装置に提供されたその施設に関するクーポン等の情報がユーザに自動的に提示されることとなる。したがって、クーポン等を利用可能なことがユーザに喚起される。
【０００６】
クーポンまたは広告情報の取得を希望する施設は、情報取得装置から情報提供装置にあらかじめ登録しておくことが可能である。この場合は、あらかじめ登録しておいた施設に近づくと、情報提供装置から情報取得装置に提供されたその施設に関するクーポン等の情報がユーザに自動的に提示される。
【０００７】
また、クーポンまたは広告情報の取得を希望する施設として、移動の目的地を登録することも可能である。この場合は、あらかじめ登録しておいた目的地に到着すると、情報提供装置から情報取得装置に提供されたその施設に関するクーポン等の情報がユーザに自動的に提示される。
【０００８】
また、本発明の他の態様では、目的地を登録したときに、その目的地の施設に関する案内情報を情報提供装置から情報取得装置に提供してユーザに提示する。このようにすれば、目的地を登録した時点で、その目的地の施設で利用可能なクーポン等が存在することがユーザに知らされることとなり、ユーザへの注意が喚起される。
【０００９】
【発明の実施の形態】
（第１の実施形態）
以下、本発明の一実施形態を図面に基づいて説明する。図１は、第１の実施形態による位置情報に基づく情報提供システムの概略的な構成を示す図である。図１に示すように、本実施形態の情報提供システムは、情報取得装置１と情報提供装置２とが携帯電話網３を介して互いに通信可能なように接続して構成されている。
【００１０】
情報取得装置１は、携帯電話４と車載のナビゲーション装置５とを備えて構成されている。このナビゲーション装置５は、車両の現在位置を検出する機能を備えている。携帯電話４とナビゲーション装置５とは有線または無線の通信インタフェースを介して接続され、互いにデータの授受を行うようになっている。また、携帯電話網３を通じた情報提供装置２とのデータのやり取りは、携帯電話４の通信機能を利用して行うようになっている。
【００１１】
情報提供装置２は、１以上の施設に関するクーポンまたは広告の情報を記憶したクーポン・広告情報データベース（ＤＢ）６を備えている。このクーポン・広告情報ＤＢ６に記憶される情報には、オンラインクーポンや広告の情報そのものだけでなく、施設の位置情報に加えて施設名などの付随情報を含んだＰＯＩ（Ｐｏｉｎｔ　ｏｆ　Ｉｎｔｅｒｅｓｔ）情報や、クーポンや広告によるサービス内容を表す情報等（以下では、ＰＯＩやサービス内容等の情報をまとめて案内情報と呼ぶ）も含まれている。
【００１２】
この情報提供装置２は、クーポン・広告情報ＤＢ６に記憶されているクーポンまたは広告の情報を、携帯電話網３を介して情報取得装置１に提供する。情報取得装置１は、あらかじめ登録しておいた施設への到着がナビゲーション装置５により検出されたときに、その到着した施設に関するクーポンまたは広告情報を選択的にユーザの携帯電話４に提示する。
【００１３】
図２は、上記情報取得装置１の具体的な構成例を示すブロック図である。図２に示すナビゲーション装置５の構成において、１１はＤＶＤ−ＲＯＭ等の地図記憶媒体であり、地図表示や経路探等に必要な各種の地図データを記憶している。なお、ここでは地図データを記憶する記録媒体としてＤＶＤ−ＲＯＭ１１を用いているが、ＣＤ−ＲＯＭ、ハードディスクなどの他の記録媒体を用いても良い。１２はＤＶＤ−ＲＯＭ制御部であり、ＤＶＤ−ＲＯＭ１１からの地図データの読み取りを制御する。
【００１４】
ＤＶＤ−ＲＯＭ１１に記録された地図データは、広い地域を一望するための上位レベルの地図から、狭い地域を詳細に記述した下位レベルの地図まで、レベルと呼ばれる単位に階層化して管理されている。各レベルは、所定の経度および緯度で区切られた区画と呼ばれる矩形領域を単位として分割されている。各区画の地図データは、区画番号を指定することにより特定され、読み出すことが可能となる。
【００１５】
区画ごとの地図データには、地図表示に必要な各種のデータから成る描画ユニットと、マップマッチングや経路探索、経路案内等の各種の処理に必要なデータから成る道路ユニットと、交差点の詳細データから成る交差点ユニットとが含まれている。上述した描画ユニットには、建物あるいは河川等を表示するために必要な背景レイヤのデータと、市町村名や道路名等を表示するために必要な文字レイヤのデータとが含まれている。上述の道路ユニットは、交差点や分岐など、複数の道路が交わる点に対応するノードと、道路上のあるノードとこれに隣接する他のノードとの間を接続する、道路や車線等に対応するリンクとを含んでいる。
【００１６】
１３は車両の現在位置を測定する位置測定装置であり、自立航法センサ、ＧＰＳ受信機、位置計算用ＣＰＵ等で構成されている。自立航法センサは、所定走行距離毎に１個のパルスを出力する車速センサ（距離センサ）と、車両の回転角度（移動方位）を検出する振動ジャイロ等の角速度センサ（相対方位センサ）とを含む。自立航法センサは、この車速センサの出力をもとに車両の移動距離を検出するとともに、その移動距離および角速度センサの出力をもとに車両の相対位置および方位を検出する。
【００１７】
ＧＰＳ受信機は、複数のＧＰＳ衛星から送られてくる電波をＧＰＳアンテナで受信し、３次元測位処理あるいは２次元測位処理を行って車両の絶対位置および方位を計算する。また、位置計算用ＣＰＵは、自立航法センサから出力される自車の相対的な位置および方位のデータに基づいて、絶対的な自車位置（推定車両位置）および車両方位を計算する。
【００１８】
１４は地図情報メモリであり、ＤＶＤ−ＲＯＭ制御部１２の制御によってＤＶＤ−ＲＯＭ１１から読み出された地図データを一時的に格納する。すなわち、ＤＶＤ−ＲＯＭ制御部１２は、車両現在位置の情報を入力し、その車両現在位置を含む所定範囲の地図データの読み出し指示を出力することにより、地図表示や誘導経路の探索に必要な地図データをＤＶＤ−ＲＯＭ１１から読み出して地図情報メモリ１４に格納する。
【００１９】
１５はリモートコントローラ（リモコン）等の操作部であり、ユーザがナビゲーション装置５に対して各種の情報（例えば、経路誘導の目的地）を設定したり、各種の操作（例えば、メニュー選択操作、拡大／縮小操作、手動地図スクロール、数値入力など）を行ったりするための各種操作子（ボタンやジョイスティック等）を備えている。このリモコン１５は、所望の施設を登録する際にも使用する。１６はリモコンインタフェースであり、リモコン１５からその操作状態に応じた赤外線信号を受信する。
【００２０】
１７は施設情報メモリであり、リモコン１５の操作によって登録された所望の施設に関する情報を記憶する。この施設情報メモリ１７に登録する施設情報は、例えば施設の名称、位置（ＤＶＤ−ＲＯＭ１１に記録されている地図データに対応した位置情報）などを含んだものである。
【００２１】
１８はクーポン・広告情報メモリであり、クーポン・広告情報ＤＢ６に記憶されたクーポン・広告情報のうち、リモコン１５の操作によって登録された施設に関するクーポン・広告情報を一時的に格納する。すなわち、リモコン１５によって登録された施設情報は、情報提供装置２に通知される。この通知を受けた情報提供装置２は、クーポン・広告情報ＤＢ６に記憶されたクーポン・広告情報の中から、通知された施設に関するクーポン・広告情報を検索して情報取得装置１に提供する。情報取得装置１では、情報提供装置２から提供されたクーポン・広告情報をナビゲーション装置５のクーポン・広告情報メモリ１８に格納する。
【００２２】
１９はプロセッサ（ＣＰＵ）であり、ナビゲーション装置５の全体を制御する。２０はＲＯＭであり、各種プログラム（誘導経路探索処理プログラム、クーポン等情報取得・提示プログラム等）を記憶する。２１はＲＡＭであり、各種処理の過程で得られるデータや、各種処理の結果得られるデータを一時的に格納する。
【００２３】
上述のＣＰＵ１９は、ＲＯＭ２０に記憶されている誘導経路探索処理プログラムに従って、地図情報メモリ１４に格納された地図データを用いて、出発地から目的地までを結ぶ最もコストが小さな誘導経路を探索する処理を行う。ＣＰＵ１９はまた、探索された誘導経路のデータに基づいて、車両を目的地まで案内する処理も行う。すなわち、後述する誘導経路発生部２７を制御して、車両の走行中に地図画面上で誘導経路を他の道路とは色を変えて太く描画したり、車両が誘導経路上の案内交差点に一定距離内に近づいたときに進行方向を案内したりする。
【００２４】
ＣＰＵ１９は更に、ＲＯＭ２０に記憶されているクーポン等情報取得・提示プログラムに従って、情報提供装置２からクーポン・広告情報を取得してユーザの携帯電話４に提示する処理も行う。
【００２５】
すなわち、ＣＰＵ１９は、後述する通信インタフェース３３を制御して、リモコン１５の操作によって登録された施設に関するクーポン・広告情報を情報提供装置２から携帯電話４を介して取得し、クーポン・広告情報メモリ１８に格納する。そして、あらかじめ登録しておいた施設に車両が到着したことが位置測定装置１３により検出されたときに、クーポン・広告情報メモリ１８に格納された各施設のクーポン・広告情報の中から、その到着施設に関するクーポン・広告情報を検索して携帯電話４に提示する。
【００２６】
２２は誘導経路メモリであり、ＣＰＵ１９が探索した誘導経路のデータを記憶する。誘導経路のデータは、出発地から目的地までの各ノードに対応させて、各ノードの位置と、各ノードが交差点か否かを表す交差点識別フラグとを記憶したものである。
【００２７】
２３は交差点拡大図メモリであり、誘導経路中にある全誘導対象交差点の拡大図のデータ（目的地に向けて車両を案内するための交差点拡大図、行先、進行方向矢印の画像）を一時的に格納する。この交差点拡大図のデータも、ＤＶＤ−ＲＯＭ制御部１２の制御によってＤＶＤ−ＲＯＭ１１から適宜読み出される。
【００２８】
２４はディスプレイコントローラであり、地図情報メモリ１４に格納された地図データに基づいて、表示装置３０への表示に必要な地図画像データを生成する。２５はビデオＲＡＭであり、ディスプレイコントローラ２４によって生成された地図画像データを一時的に格納する。すなわち、ディスプレイコントローラ２４によって生成された地図画像データはビデオＲＡＭ２５に一時的に格納され、１画面分の地図画像データが読み出されて画像合成部２９に出力される。
【００２９】
２６はメニュー発生部であり、リモコン１５を用いて各種の操作を行う際に必要なメニュー画像を発生して出力する。２７は誘導経路発生部であり、誘導経路メモリ２２に記憶された誘導経路探索処理プログラムの処理結果を使用して、誘導経路のデータを発生する。すなわち、誘導経路メモリ２２に記憶された誘導経路データの中から、その時点でビデオＲＡＭ２５に描画された地図エリアに含まれるものを選択的に読み出し、地図画像に重ねて所定色で太く強調した誘導経路を描画する。また、自車が誘導経路前方にある案内交差点から所定距離内に接近したときに、交差点拡大図メモリ２３に格納された交差点拡大図データに基づいて、接近中の交差点の案内図の画像を生成して出力する。
【００３０】
２８はマーク発生部であり、マップマッチング処理された後の自車位置に表示する車両位置マークや、ガソリンスタンドやコンビニエンスストア等を表示する各種ランドマーク等を発生して出力する。なお、マップマッチング処理とは、地図情報メモリ１４に読み出されている地図データと、位置測定装置１３によって測定されたＧＰＳ受信機による自車位置および車両方位のデータと、自立航法センサによる推定車両位置および車両方位のデータとを用いて、自車の走行位置を地図データの道路上に位置修正する処理のことを言う。
【００３１】
２９は画像合成部であり、各種画像を合成して出力する。すなわち、ディスプレイコントローラ２４によって読み出された地図画像データに、メニュー発生部２６、誘導経路描画部２７、マーク発生部２８のそれぞれから出力される各画像データを重ねて画像合成を行い、表示装置３０に出力する。これにより、表示装置３０の画面上には、自車周辺の地図情報が車両位置マークや出発地マーク、目的地マーク等と共に表示される。また、この地図上に誘導経路が表示されるとともに、車両の位置が交差点近傍に近づいたときに交差点拡大図が表示される。
【００３２】
３１は音声発生部であり、交差点案内の音声や、各種操作案内の音声などを発声する。３２はスピーカであり、音声発生部３１により発生された音声を外部に出力する。３３は通信インタフェースであり、携帯電話４との間で有線または無線にてデータの授受を行う。ナビゲーション装置５から情報提供装置２に所望の施設を登録したり、情報提供装置２からクーポン・広告情報を取得する際には、この通信インタフェース３３を通して携帯電話４の通信機能が利用される。また、情報提供装置２からナビゲーション装置５に提供されたクーポン・広告情報を携帯電話４に提示する際には、この通信インタフェース３３を通してナビゲーション装置５から携帯電話４にクーポン・広告情報が送られる。
【００３３】
また、図２に示す携帯電話４の構成において、４１はプロセッサ（ＣＰＵ）であり、携帯電話４の全体を制御する。４２はＲＯＭであり、各種プログラムを記憶する。４３はＲＡＭであり、各種処理の過程で得られるデータや、各種処理の結果得られるデータを一時的に格納する。
【００３４】
４４は通信インタフェースであり、ナビゲーション装置５との間で有線または無線にてデータの授受を行う。上述のように、情報提供装置２から提供されたクーポン・広告情報をナビゲーション装置５に送ってクーポン・広告情報メモリ１８に格納する際や、クーポン・広告情報メモリ１８に格納されたクーポン・広告情報を携帯電話４に提示する際などには、この通信インタフェース４４を通してデータの授受が行われる。４５は通信部であり、携帯電話網３を介して情報提供装置２との間でデータ通信を行う。４６はディスプレイコントローラであり、ナビゲーション装置５から通信インタフェース４４を介して送られてくるクーポン・広告情報を表示装置４７へ表示するための制御を行う。
【００３５】
図３は、上記情報提供装置２の具体的な構成例を示すブロック図である。図３において、５１はプロセッサ（ＣＰＵ）であり、情報提供装置２の全体を制御する。５２はＲＯＭであり、各種プログラムを記憶する。５３はＲＡＭであり、各種処理の過程で得られるデータや、各種処理の結果得られるデータを一時的に格納する。
【００３６】
５４は通信部であり、携帯電話網３を介して情報取得装置１との間でデータ通信を行う。例えば、情報取得装置１のナビゲーション装置５から所望の登録施設に関する情報を受信したり、クーポン・広告情報ＤＢ６から読み出したクーポン・広告情報をナビゲーション装置５に送信したりする。５５は施設情報メモリであり、情報取得装置１のナビゲーション装置５から通信部５４を通じて登録された所望の施設に関する情報を記憶する。
【００３７】
５６は検索部であり、クーポン・広告情報ＤＢ６に記憶された各施設のクーポン・広告情報の中から、施設情報メモリ５５に記憶された所望の施設に関するクーポン・広告情報を検索する。この検索は、施設情報メモリ５５に記憶された施設情報が持っている施設名をキーワードとして行っても良いし、施設情報が持っている位置情報をキーワードとして行っても良い。
【００３８】
５７は読出制御部であり、クーポン・広告情報ＤＢ６からのクーポン・広告情報の読み出しを制御する。具体的には、検索部５６により検索されたクーポン・広告情報をクーポン・広告情報ＤＢ６から読み出して、通信部５４に供給する。通信部５４は、読み出されたクーポン・広告情報を携帯電話網３を介して情報取得装置１に提供する。
【００３９】
次に、上記のように構成した本実施形態の情報提供システムの動作について説明する。図４は、本実施形態による情報提供システムの動作を示すフローチャートである。図４において、ユーザは、リモコン１５を操作して所望の施設情報をナビゲーション装置５の施設情報メモリ１７に登録する（ステップＳ１）。続いてナビゲーション装置５のＣＰＵ１９は、通信インタフェース３３を制御して、施設情報メモリ１７に登録された施設情報を携帯電話４を通じて情報提供装置２に送信する（ステップＳ２）。
【００４０】
情報提供装置２は、ナビゲーション装置５から送られてきた施設情報を受信して施設情報メモリ５５に記憶する（ステップＳ３）。検索部５６は、この施設情報メモリ５５に記憶された施設情報をキーワードとしてクーポン・広告情報ＤＢ６の検索を行い、その登録施設に関するクーポン・広告情報を読出制御部５７を制御して抽出する（ステップＳ４）。そして、通信部５４は、抽出されたクーポン・広告情報を携帯電話４を通じてナビゲーション装置５に送信する（ステップＳ５）。
【００４１】
ナビゲーション装置５は、情報提供装置２から送られてきたクーポン・広告情報を受信してクーポン・広告情報メモリ１８に記憶する（ステップＳ６）。このナビゲーション装置５は、車両の走行案内を行うために位置測定装置１３によって現在位置を常に検出している（ステップＳ７）。ＣＰＵ１９は、この位置測定装置１３により検出された車両の現在位置と、施設情報メモリ１７に記憶されている施設情報が持っている位置情報とに基づいて、車両が登録施設に到着したか否かを判定する（ステップＳ８）。
【００４２】
車両が登録施設に到着していない場合は、ステップＳ７に戻って位置検出を継続して行う。一方、車両が登録施設に到着したことが検出されると、ＣＰＵ１９は、その到着した施設に関するクーポン・広告情報をクーポン・広告情報メモリ１８から取り出して、通信インタフェース３３を介して携帯電話４に提供する（ステップＳ９）。これを受けて携帯電話４は、ナビゲーション装置５から受け取ったクーポン・広告情報を表示装置４７に表示することにより、ユーザに提示する（ステップＳ１０）。
【００４３】
以上詳しく説明したように、第１の実施形態では、ユーザが登録した施設に関するクーポン・広告情報を情報提供装置２からナビゲーション装置５に受信しておき、車両がその登録施設に到着したときに、該当するクーポン・広告情報を読み出してユーザの携帯電話４に提示するようにしたので、ユーザが所望の施設をあらかじめ登録しておけば、その施設に行ったときにクーポン・広告情報がユーザに自動的に提示されることとなる。これにより、クーポン等をユーザが忘れることなく有効に利用することができるようになる。また、専用のウェブサイトにアクセスしてクーポン・広告情報を自ら取りにいく作業をする必要もなく、非常に便利である。
【００４４】
なお、上記第１の実施形態では、車両が登録施設に到着したときにクーポン・広告情報を携帯電話４に提示する例について説明したが、位置測定装置１３により検出された車両の現在位置またはその周辺においてクーポン等を発行している施設がある場合に、それを随時提示するようにしても良い。例えば、クーポン・広告情報メモリ１８に記憶された各施設のクーポン・広告情報のうち、その時点でビデオＲＡＭ２５に描画された地図エリアに含まれる施設に関するものを選択的に読み出し、これを携帯電話４に提示するようにする。
【００４５】
このようにすれば、登録施設に実際には到着していなくても、あるいは、登録施設が単に通り道にあるだけのような場合であっても、クーポン・広告情報を発行している施設に近づくと、その施設に関するクーポン・広告情報がユーザに自動的に提示されることとなるので、クーポン等を利用可能なことをユーザに喚起することができる。
【００４６】
また、上記第１の実施形態では、登録施設のクーポン・広告情報をあらかじめ情報提供装置２からナビゲーション装置５に提供して蓄積しておく例について説明したが、登録施設に到着した時点で提供するようにしても良い。この場合、ナビゲーション装置５は、自身の施設情報メモリ１７に登録されている施設に到着したことを検出した時点で、そのことを情報提供装置２に通知する。この通知の際には、到着した施設の名称あるいは位置情報も知らせる。
【００４７】
この通知を受けた情報提供装置２は、通知された施設名あるいは位置情報をキーワードとしてクーポン・広告情報ＤＢ６を検索し、該当する施設に関するクーポン・広告情報を取り出してナビゲーション装置５に提供する。ナビゲーション装置５は、このようにして情報提供装置２から提供されたクーポン・広告情報を携帯電話４に供給してユーザに提示する。このように構成する場合は、情報提供装置２の施設情報メモリ５５は不要である。
【００４８】
また、この場合においても、車両が登録施設に到着したときだけでなく、上述のように位置測定装置１３により検出された車両の現在位置またはその周辺の施設に関するクーポン・広告情報を随時検索して情報提供装置２からナビゲーション装置５に提供するようにしても良い。この場合、ナビゲーション装置５は、位置測定装置１３により検出した現在位置を断続的に情報提供装置２に通知する必要がある。
【００４９】
また、上記第１の実施形態では、所望の施設をあらかじめ登録しておく例について説明したが、施設そのものを指定して登録するのではなく、所望のジャンルを指定して登録するようにしても良い。所望のジャンルを登録するということは、そのジャンルに属する複数の施設を全て一括して登録するということに相当する。
【００５０】
また、所望の施設あるいはジャンル等を登録せず、位置測定装置１３により検出される車両の現在位置のみをもとにして該当するクーポン・広告情報を提供するようにしても良い。例えば、ナビゲーション装置５は、位置測定装置１３により検出された車両の現在位置を情報提供装置２に断続的に通知する。この通知の際には、現在位置またはその周辺の施設の名称あるいは位置情報も知らせる。
【００５１】
この通知を受けた情報提供装置２は、通知された施設名あるいは位置情報をキーワードとしてクーポン・広告情報ＤＢ６を検索し、該当する施設に関するクーポン・広告情報を取り出してナビゲーション装置５に提供する。ナビゲーション装置５は、このようにして情報提供装置２から提供されたクーポン・広告情報を携帯電話４に供給してユーザに提示する。
【００５２】
また、上記第１の実施形態では、情報取得装置１の中で通信部は携帯電話４のみが持っており、情報提供装置２との間のデータ通信は携帯電話４を介して行う例について説明したが、ナビゲーション装置５にも通信部を持たせるようにしても良い。この場合は、ナビゲーション装置５と情報提供装置２との間で直接データ通信を行うことが可能である。
【００５３】
また、上記第１の実施形態では、情報取得装置１を携帯電話４とナビゲーション装置５とにより構成したが、携帯電話４の代わりにＰＤＡ（Ｐｅｒｓｏｎａｌ　ＤｉｇｉｔａｌＡｓｓｉｓｔａｎｔｓ）、ノート型パーソナルコンピュータその他の携帯端末を用いるようにしても良い。また、最近ではＧＰＳ受信機等の位置測定装置を備えた携帯端末も提供されつつあり、携帯端末単独で簡単な道案内を受けることができるものも存在する。そのような位置測定装置付きの携帯端末を単独で情報取得装置１として用いるようにしても良い。
【００５４】
（第２の実施形態）
次に、本発明の第２の実施形態について説明する。第２の実施形態による情報提供システムの概略構成は、図１と同様である。ただし、情報取得装置１および情報提供装置２の内部構成が第１の実施形態と異なっている。図５は、第２の実施形態による情報取得装置１の具体的な構成例を示すブロック図である。なお、この図５において、図２に示した符号と同一の符号を付したものは互いに同一の機能を有するものであるので、ここでは重複する説明を省略する。
【００５５】
図５に示すように、第２の実施形態では、リモコン１５によって所望の施設を登録するようにはなっておらず、ナビゲーション装置５は施設情報メモリを備えていない。また、情報提供装置２から取得したクーポン・広告情報を蓄積しておくためのクーポン・広告情報メモリも備えていない。
【００５６】
第２の実施形態においてＣＰＵ１９は、リモコン１５の操作によって誘導経路メモリ２２に目的地が登録されたときに、通信インタフェース３３を制御してその目的地の施設名あるいは位置情報を情報提供装置２に通知し、その施設の案内情報を携帯電話４を介して取得する。また、車両が目的地に到着したことが位置測定装置１３により検出されたときに、通信インタフェース３３を制御してそのことを情報提供装置２に通知し、到着した目的地のクーポン・広告情報を携帯電話４を介して取得する。
【００５７】
図６は、第２の実施形態による情報提供装置２の具体的な構成例を示すブロック図である。なお、この図６において、図３に示した符号と同一の符号を付したものは互いに同一の機能を有するものであるので、ここでは重複する説明を省略する。図６に示すように、第２の実施形態では、ナビゲーション装置５により登録された所望の施設を記憶する施設情報メモリは備えていない。
【００５８】
図６において、検索部５６は、ナビゲーション装置５において設定された目的地が通信部５４を通じて通知されたときに、クーポン・広告情報ＤＢ６の検索を行ってその目的地に対応する施設の案内情報を取り出す。通信部５４は、その案内情報を携帯電話４を介してナビゲーション装置５に提供する。これにより、その目的地に関してクーポン・広告情報が存在することをユーザに知らせる。
【００５９】
また、検索部５６は、車両が目的地に到着したことがナビゲーション装置５から通信部５４を通じて通知されたときに、クーポン・広告情報ＤＢ６の検索を行ってその目的地に対応する施設のクーポン・広告情報を取り出す。通信部５４は、そのクーポン・広告情報を携帯電話４に提供する。これにより、その目的地に関する施設のクーポン・広告情報を携帯電話４の表示装置４７を通じてユーザに提示する。
【００６０】
次に、上記のように構成した第２の実施形態の情報提供システムの動作について説明する。図７は、第２の実施形態による情報提供システムの動作を示すフローチャートである。図７において、ユーザは、ナビゲーション装置５のリモコン１５を操作して所望の目的地を設定する（ステップＳ１１）。続いてナビゲーション装置５のＣＰＵ１９は、通信インタフェース３３を制御して、誘導経路メモリ２２に登録された目的地を携帯電話４を通じて情報提供装置２に通知する（ステップＳ１２）。この通知は、目的地の施設名あるいは位置情報を送信することによって行う。
【００６１】
情報提供装置２は、ナビゲーション装置５から送られてきた目的地情報をキーワードとして、検索部５６によりクーポン・広告情報ＤＢ６の検索を行い、その目的地の施設に関するクーポン・広告情報等を案内する案内情報を抽出する（ステップＳ１３）。そして、通信部５４は、抽出された案内情報を携帯電話４を通じてナビゲーション装置５に送信する（ステップＳ１４）。
【００６２】
ナビゲーション装置５は、情報提供装置２から送られてきた案内情報を受信して表示装置３０に表示することにより、設定された目的地に関してクーポン・広告情報が存在することや、そのサービス内容等をユーザに知らせる（ステップＳ１５）。
【００６３】
このナビゲーション装置５は、車両の走行案内を行うために位置測定装置１３によって現在位置を常に検出している（ステップＳ１６）。ＣＰＵ１９は、この位置測定装置１３により検出された車両の現在位置と、誘導経路メモリ２２に記憶されている目的地の位置情報とに基づいて、車両が目的地に到着したか否かを判定する（ステップＳ１７）。
【００６４】
車両が目的地に到着していない場合は、ステップＳ１６に戻って位置検出を継続して行う。一方、車両が目的地に到着したことが検出されると、ＣＰＵ１９は、通信インタフェース３３を制御して、車両が目的地に到着したことを携帯電話４を通じて情報提供装置２に通知する（ステップＳ１８）。この通知は、目的地に到着したことと、その目的地の施設名あるいは位置情報を送信することによって行う。なお、目的地の施設名あるいは位置情報は、ステップＳ１２で送られた内容を情報提供装置２に記憶しておくようにすれば、改めて送る必要はない。
【００６５】
情報提供装置２は、ナビゲーション装置５から送られてきた目的地情報をキーワードとして、検索部５６によりクーポン・広告情報ＤＢ６の検索を行い、その目的地の施設に関するクーポン・広告情報を抽出する（ステップＳ１９）。そして、通信部５４は、抽出されたクーポン・広告情報を携帯電話４に送信する（ステップＳ２０）。携帯電話４は、情報提供装置２から送られてきたクーポン・広告情報を受信して表示装置４７に表示することにより、設定された目的地の施設に関するクーポン・広告情報をユーザに提示する（ステップＳ２１）。
【００６６】
以上詳しく説明したように、第２の実施形態では、ユーザが経路誘導の目的地を設定した場合、車両がその目的地に到着したときに、該当するクーポン・広告情報を情報提供装置２から取得してユーザの携帯電話４に提示するようにしたので、ユーザが所望の経路誘導を受けるために目的地を設定すれば、その目的地に行ったときにクーポン・広告情報がユーザに自動的に提示されることとなる。これにより、クーポン等をユーザが忘れることなく有効に利用することができるようになる。
【００６７】
また、第２の実施形態では、ユーザが経路誘導の目的地を設定したときに、その時点でその目的地の施設が発行しているクーポン・広告情報に関する案内情報を情報提供装置２から取得してナビゲーション装置５に提示するようにしたので、設定した目的地に関してクーポン・広告情報を利用可能なことをユーザにあらかじめ知らせることができ、ユーザへの注意を喚起することができる。
【００６８】
なお、上記第２の実施形態では、目的地の施設に関するクーポン・広告情報を当該目的地に到着した時点で情報提供装置２から情報取得装置１に提供する例について説明したが、あらかじめ情報提供装置２からナビゲーション装置５に送信して蓄積しておくようにしても良い。例えば、図７のステップＳ１４の時点で案内情報と共にクーポン・広告情報もナビゲーション装置５に送信して蓄積する。この場合、ナビゲーション装置５は、目的地に到着したことを検出した時点で、自身に蓄積しておいたクーポン・広告情報を読み出してユーザの携帯電話４に提示する。
【００６９】
また、上記第２の実施形態では、情報取得装置１の中で通信部は携帯電話４のみが持っており、情報提供装置２との間のデータ通信は携帯電話４を介して行う例について説明したが、ナビゲーション装置５にも通信部を持たせるようにしても良い。この場合は、ナビゲーション装置５と情報提供装置２との間で直接データ通信を行うことが可能である。
【００７０】
また、上記第２の実施形態では、情報取得装置１を携帯電話４とナビゲーション装置５とにより構成したが、携帯電話４の代わりにＰＤＡ（Ｐｅｒｓｏｎａｌ　ＤｉｇｉｔａｌＡｓｓｉｓｔａｎｔｓ）、ノート型パーソナルコンピュータその他の携帯端末を用いるようにしても良い。また、最近ではＧＰＳ受信機等の位置測定装置を備えた携帯端末も提供されつつあり、携帯端末単独で簡単な道案内を受けることができるものも存在する。そのような位置測定装置付きの携帯端末を単独で情報取得装置１として用いるようにしても良い。
【００７１】
その他、上記第１および第２の実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００７２】
【発明の効果】
以上説明したように、本発明によれば、情報取得装置の現在位置を検出し、例えば所望の施設または移動の目的地に到着したことが検出されたとき等に、その施設に関して情報提供装置から取得したクーポン・広告情報をユーザに提示するようにしたので、クーポン・広告情報を発行している施設にユーザが行ったときに、ユーザの嗜好に合ったクーポン・広告情報をリアルタイムに自動的に提示することができ、オンライン上のクーポン券や広告をユーザが忘れることなく有効に利用することができるようになる。
【図面の簡単な説明】
【図１】第１および第２の実施形態による位置情報に基づく情報提供システムの概略的な構成を示す図である。
【図２】第１の実施形態による情報取得装置の構成例を示すブロック図である。
【図３】第１の実施形態による情報提供装置の構成例を示すブロック図である。
【図４】第１の実施形態による情報提供システムの動作を示すフローチャートである。
【図５】第２の実施形態による情報取得装置の構成例を示すブロック図である。
【図６】第２の実施形態による情報提供装置の構成例を示すブロック図である。
【図７】第２の実施形態による情報提供システムの動作を示すフローチャートである。
【符号の説明】
１　情報取得装置
２　情報提供装置
３　携帯電話網
４　携帯電話
５　ナビゲーション装置
６　クーポン・広告情報ＤＢ
１１　ＤＶＤ−ＲＯＭ
１２　ＤＶＤ−ＲＯＭ制御部
１３　位置測定装置
１４　地図情報メモリ
１５　リモコン
１６　リモコンインタフェース
１７　施設情報メモリ
１８　クーポン・広告情報メモリ
１９　ＣＰＵ
２０　ＲＯＭ
２１　ＲＡＭ
２２　誘導経路メモリ
２３　交差点拡大図メモリ
２４　ディスプレイコントローラ
２５　ビデオＲＡＭ
２６　メニュー発生部
２７　誘導経路発生部
２８　マーク発生部
２９　画像合成部
３０　表示装置
３１　音声発生部
３２　スピーカ
３３　通信インタフェース
４１　ＣＰＵ
４２　ＲＯＭ
４３　ＲＡＭ
４４　通信インタフェース
４５　通信部
４６　ディスプレイコントローラ
４７　表示装置
５１　ＣＰＵ
５２　ＲＯＭ
５３　ＲＡＭ
５４　通信部
５５　施設情報メモリ
５６　検索部
５７　読出制御部
【図１】
2004062688.tif 000003
【図２】
2004062688.tif 000004
【図３】
2004062688.tif 000005
【図４】
2004062688.tif 000006
【図５】
2004062688.tif 000007
【図６】
2004062688.tif 000008
【図７】
2004062688.tif 000009